(57)【要約】【課題】作業性に優れるとともに、気密性を確保することのできるエレベーター巻上機のブレーキカバーの提供。【解決手段】昇降路の底部に形成されるピットに設置され、乗かごを昇降させるためのロープが巻き掛けられるシーブを駆動するモータ２と、このモータ２を制動するブレーキ３とを備えたエレベーター巻上機１にあって、モータ２のフランジ２ｂに取付けられ、ブレーキ３を覆うエレベーター巻上機のブレーキカバーにおいて、端面がフランジ２ｂの側面に密着して固定され、モータ３の下方を覆う下カバー１０ａと、下面が下カバー１０ａの上面に密着するとともに、端面がフランジ２ｂの側面に密着される中間プレート１０ｂと、下面が中間プレート１０ｂの上面と密着して固定され、ブレーキ３の上方を覆う上カバー１０ｃとを備えている。【選択図】図１
2006256759.tif 000002
【特許請求の範囲】
【請求項１】
昇降路の底部に形成されるピットに設置され、乗かごを昇降させるためのロープが巻き掛けられるシーブを駆動するモータと、このモータを制動するブレーキとを備えたエレベーター巻上機にあって、前記モータのフランジに取付けられ、前記ブレーキを覆うエレベーター巻上機のブレーキカバーにおいて、
端面が前記フランジの側面に密着して固定され、前記モータの下方を覆う下カバーと、下面が前記下カバーの上面に密着するとともに、端面が前記フランジの側面に密着される中間プレートと、下面が前記中間プレートの上面と密着して固定され、前記ブレーキの上方を覆う上カバーとを備えたこと特徴とするエレベーター巻上機のブレーキカバー。
【請求項２】
前記中間プレートと前記上カバーとの間にゴムパッキンを介設したことを特徴とする請求項１記載のエレベーター巻上機のブレーキカバー。
【発明の詳細な説明】
【技術分野】
【０００１】
本発明は、エレベーター巻上機のブレーキカバーに係り、特に、昇降路の底部に設置されたモータのブレーキを防水するエレベーター巻上機のブレーキカバーに関する。
【背景技術】
【０００２】
従来、洪水時などにより昇降路の底部が冠水した際に、底部に設置された巻上機、特にそのブレーキを防水するものとして、モータ本体の端面、すなわちフリンジにブレーキ装置を覆うブレーキカバーを密着して接続したものが提案されている（例えば、特許文献１参照）。
【０００３】
また、ブレーキ装置を覆うブレーキカバーを上下２分割とし、各カバーの一端面をモータのフリンジ、かつ、他の端面を他方のカバーにそれぞれ密着して接続するものも提案されている。
【特許文献１】ＷＯ２０００−４６１３９号公報
【発明の開示】
【発明が解決しようとする課題】
【０００４】
しかしながら、前者のブレーキカバーは一体式であることから、保守作業等にあってブレーキに直接触れることを要する際には、ブレーキカバーを横方向に引き抜いて取外す必要があり、したがって広い作業空間を要し、狭い昇降路では困難な作業となるという問題があった。
【０００５】
また、後者のものは上下２分割であることから、保守作業等にあって、例えば上方向に向けて上カバーのみを取外すことが可能になり作業性という点においては優れている。しかし、ブレーキカバーは冠水からブレーキを保護するためその気密性が重要な要素であり、この観点から述べると、分割された各カバーの一端面をモータのフリンジ、および他の端面を他方のカバーにそれぞれ密着して接続する必要があり気密性の面で問題があった。
【０００６】
本発明は、上述した従来技術における実状からなされたもので、その目的は、作業性に優れるとともに、気密性を確保することのできるエレベーター巻上機のブレーキカバーを提供することにある。
【課題を解決するための手段】
【０００７】
前記目的を達成するために、本発明の請求項１記載に係る発明は、昇降路の底部に形成されるピットに設置され、乗かごを昇降させるためのロープが巻き掛けられるシーブを駆動するモータと、このモータを制動するブレーキとを備えたエレベーター巻上機にあって、前記モータのフランジに取付けられ、前記ブレーキを覆うエレベーター巻上機のブレーキカバーにおいて、端面が前記フランジの側面に密着して固定され、前記モータの下方を覆う下カバーと、下面が前記下カバーの上面に密着するとともに、端面が前記フランジの側面に密着される中間プレートと、下面が前記中間プレートの上面と密着して固定され、前記ブレーキの上方を覆う上カバーとを備えた構成にしてある。
【０００８】
このように構成した本発明の請求項１に係る発明は、下カバーはその端面がフランジの側面に密着して固定され、中間プレートはその下面が下カバーの上面に密着するとともに、端面がフランジの側面に密着され、かつ上プレートはその下面が中間プレートの上面と密着して固定される。これにより、保守点検等にあっては上方に向けて上カバーのみを取外せばよい。また、作業時に主に取外される上カバーは中間プレートの上面とのみ接合するとともに、中間プレートは作業時にフランジとの密着状態を保ち取外されることがないことから、従来のように分割されたそれぞれのカバーがフリンジ側および他方のカバー側の２つの接合面を有するものと比較しより容易にその気密性を保つことができる。
【０００９】
また、本発明の請求項２に係る発明は、前記中間プレートと前記上カバーとの間にゴムパッキンを介設した構成にしてある。
【００１０】
このように構成した本発明の請求項２に係る発明は、中間プレートと上カバーとの間にゴムパッキンを介設したことから、より高い気密性を確保することができる。
【発明の効果】
【００１１】
本発明によれば、ブレーキカバーが分割式であることから作業性に優れ、狭い昇降路でも保守点検等を効率よく行うことができる。
【００１２】
また、作業時に主に取外される上カバーは中間プレートの上面とのみ接合することからより容易に気密性を保つことができ、これによりブレーキの防水効果を高めることができる。
【００１３】
さらに、中間プレートと上カバーとの間にゴムパッキンを介設することにより、高い気密性を確保し、防水効果をより高めることができる。
【発明を実施するための最良の形態】
【００１４】
以下、本発明に係るエレベーター巻上機のブレーキカバーの実施の形態を図に基づいて説明する。
【００１５】
図１は本発明のエレベーター巻上機のブレーキカバーの一実施形態を示す要部縦断面図、図２は図１のＡ−Ａ線に沿う要部縦断面図、図３は図２のＢ−Ｂ線に沿う要部横断面図である。
【００１６】
昇降路の底部に形成されるピットには図１〜図３に示すように、乗かごを昇降させるための巻上機１が設置され、この巻上機１は、乗かごを昇降させるためのロープが巻き掛けられる図示しないシーブを駆動するモータ２と、このモータ２のモータ軸２ａに接続されるディスク３ａに摺接し、モータ２を制動するブレーキ３とを備えている。
【００１７】
そして、モータ２のフランジ２ｂに取付けられ、ブレーキ３を覆う本実施形態のブレーキカバー１０は、端面がフランジ２ｂの側面に密着して固定され、モータ２の下方を覆う下カバー１０ａと、下面が下カバー１０ａの上面に密着するとともに、端面がフランジ２ｂの側面に密着される中間プレート１０ｂと、下面が中間プレート１０ｂの上面と密着されるゴムパッキン１０ｄと、下面がゴムパッキン１０ｄの上面と密着して固定され、ブレーキ３の上方を覆う上カバー１０ｃとからなっている。
【００１８】
また、前記の下カバー１０ａは、フランジ２ｂ方向に螺進される複数のねじ１１によりフランジ２ｂに固定される。また、前記の中間プレート１０ｂは下カバー１０ａに固定される。さらに、前記の上カバー１０ｃは、図中下方向に螺進される複数のねじ１２によりその一部がゴムパッキン１０ｄを介して中間プレート１０ｂに固定される。
【００１９】
本実施形態にあっては、ブレーキカバー１０を取付ける場合、下カバー１０ａの端面に図示しないシール材を塗布しフランジ２ｂの側面に密着させた状態で複数のねじ１１により固定し、次いで、中間プレート１０ｂの下面にシール材を塗布して下カバー１０ａの上面に密着させ、かつその端面にシール材を塗布してフランジ２ｂの側面に密着させる。この状態で上カバー１０ｃをゴムパッキン１０ｄを介して中間プレート１０ｂに対向させ、複数のねじ１２により固定する。一方、保守作業等にあってブレーキ３に直接触れることを要する際は、ねじ１２を取外すとともに、上カバー１０ｃを図中上方に移動し中間プレート１０ｂとの接合を解除する。そして、作業中、中間プレート１０ｂは、その下面の下カバーとの密着およびその端面のフランジとの密着を保持するとともに、作業終了時に、再び上カバー１０ｃをゴムパッキン１０ｄを介して中間プレート１０ｂに対向させ、ねじ１２により固定する。
【００２０】
このように構成した本実施形態では、ブレーキカバー１０が分割式であることから作業性に優れ、狭い昇降路でも保守点検等を効率よく行うことができる。また、作業時に主に取外される上カバー１０ｃは中間プレート１０ｄの上面とのみ接合することからより容易に気密性を保つことができ、これによりブレーキ３の防水効果を高めることができる。さらに、中間プレート１０ｂと上カバー１０ｃとの間にゴムパッキン１０ｄを介設したことから高い気密性を確保し、防水効果をより高めることができる。
【図面の簡単な説明】
【００２１】
【図１】本発明のエレベーター巻上機のブレーキカバーの一実施形態を示す要部縦断面図である。
【図２】図１のＡ−Ａ線に沿う要部縦断面図である。
【図３】図２のＢ−Ｂ線に沿う要部横断面図である。
【符号の説明】
【００２２】
１      巻上機
２      モータ
２ａ    モータ軸
２ｂ    フランジ
３      ブレーキ
３ａ    ディスク
１０    ブレーキカバー
１０ａ  下カバー
１０ｂ  中間プレート
１０ｃ  上カバー
１０ｄ  ゴムパッキン
１１    ねじ
１２    ねじ
【図１】
2006256759.tif 000003
【図２】
2006256759.tif 000004
【図３】
2006256759.tif 000005